(57)【要約】【課題】本発明は、筒状ケースをアルミダイキャストとし、筒状ケース用キー溝と輪状ステータ用キー溝間に形成された穴内に接着剤を注入することにより、レゾルバと筒状ケースとを簡単でかつ確実に固定することを目的とする。【解決手段】本発明によるレゾルバと筒状ケースとの接続固定構造は、輪状ステータ(1)の外周面(1b)に形成された複数の輪状ステータ用キー溝(20)と、この輪状ステータ(1)の外周面(1b)に嵌合されアルミダイキャスト加工により成形された筒状ケース(4)と、前記筒状ケース(4)の内周面(4a)に形成され前記輪状ステータ用キー溝(20)に対応する筒状ケース用キー溝(21)と、よりなり、前記各キー溝(20,21)の組合せにより形成される穴(22)内に注入した接着剤(23)によって輪状ステータ(1)と筒状ケース(4)を結合する構成である。【選択図】図１
2010178603.tif 000002
【特許請求の範囲】
【請求項１】
ロータ(1A)を内設する輪状ステータ(1)の内周面(1a)から所定角度間隔で内方に突出する複数の突出磁極(2)と、前記輪状ステータ(1)の両端面(1c,1d)に別体又は一体で設けられた輪状絶縁カバー(10,11)と、前記各突出磁極(2)に前記輪状絶縁カバー(10,11)を介して巻回されたステータ巻線(3)と、前記輪状ステータ(1)の外周面(1b)に形成された複数の輪状ステータ用キー溝(20)と、前記輪状ステータ(1)の外周面(1b)に嵌合されアルミダイキャスト加工により成形された筒状ケース(4)と、前記筒状ケース(4)の内周面(4a)に形成され前記輪状ステータ用キー溝(20)に対応する筒状ケース用キー溝(21)と、前記輪状ステータ用キー溝(20)と筒状ケース用キー溝(21)によって形成される穴(22)内に注入された接着剤(23)と、よりなり、前記輪状ステータ(1)と筒状ケース(4)とは前記接着剤(23)により固定されていることを特徴とするレゾルバと筒状ケースとの接続固定構造。
【請求項２】
前記穴(22)は長穴よりなり、前記筒状ケース(4)の一端には、前記筒状ケース(4)の軸方向(A)に沿って延設された複数の取付用突起(25)が設けられていることを特徴とする請求項１記載のレゾルバと筒状ケースとの接続固定構造。
【発明の詳細な説明】
【技術分野】
【０００１】
本発明は、レゾルバと筒状ケースとの接続固定構造に関し、特に、筒状ケースをアルミダイキャストとし、筒状ケース用キー溝と輪状ステータ用キー溝間に形成された穴内に接着剤を注入することにより、レゾルバと筒状ケースとを簡単でかつ確実に固定するための新規な改良に関する。
【背景技術】
【０００２】
従来、用いられていたこの種のレゾルバと筒状ステータの接続固定構造としては、例えば、後述の特許文献１に示されているように、輪状ステータの外周面は凹凸のない円周状に形成されている。
そのため、レゾルバの輪状ステータと筒状ケースとの接続固定構造は、図４に示される構成が採用されていた。
【０００３】
すなわち、図４において符号１で示されるものは輪状ステータであり、この輪状ステータ１の内周面１ａからは所定角度間隔で内方へ向けて突出する複数の突出磁極２が形成され、前記各突出磁極２にはステータ巻線３が巻回されている。
【０００４】
前記輪状ステータ１の外周面１ｂには筒状ケース４が嵌合されており、この筒状ケース４の内周面４ａは前記外周面１ｂに嵌合することにより、レゾルバの輪状ステータ１は筒状ケース４と一体状となり、この筒状ケース４を車輌等の所定位置に取付けることによって、レゾルバを所定位置に固定することができる。
【先行技術文献】
【特許文献】
【０００５】
【特許文献１】米国特許第６，０２８，３８３号明細書
【発明の概要】
【発明が解決しようとする課題】
【０００６】
従来のレゾルバと筒状ケースとの接続固定構造は、以上のように構成されていたため、次のような課題が存在していた。
すなわち、輪状ステータは鉄で形成され、筒状ケースはアルミニウムの切削加工で形成されていたため、両者は互いに線膨張係数が異なり、熱圧入による固定は極めて困難であった。
また、この筒状ケースにアルミダイキャストを用いると、伸び性が殆んどなく、生産が非常に容易となるカシメによる固定は極めて困難であった。
【課題を解決するための手段】
【０００７】
本発明によるレゾルバと筒状ケースとの接続固定構造は、ロータを内設する輪状ステータの内周面から所定角度間隔で内方に突出する複数の突出磁極と、前記輪状ステータの両端面に別体又は一体で設けられた輪状絶縁カバーと、前記各突出磁極に前記輪状絶縁カバーを介して巻回されたステータ巻線と、前記輪状ステータの外周面に形成された複数の輪状ステータ用キー溝と、前記輪状ステータの外周面に嵌合されアルミダイキャスト加工により成形された筒状ケースと、前記筒状ケースの内周面に形成され前記輪状ステータ用キー溝に対応する筒状ケース用キー溝と、前記輪状ステータ用キー溝と筒状ケース用キー溝によって形成される穴内に注入された接着剤と、よりなり、前記輪状ステータと筒状ケースとは前記接着剤により固定されている構成であり、また、前記穴は長穴よりなり、前記筒状ケースの一端には、前記筒状ケースの軸方向に沿って延設された複数の取付用突起が設けられている構成である。
【発明の効果】
【０００８】
本発明によるレゾルバと筒状ケースとの接続固定構造は、以上のように構成されているため、次のような効果を得ることができる。
すなわち、ロータを内設する輪状ステータの内周面から所定角度間隔で内方に突出する複数の突出磁極と、前記輪状ステータの両端面に別体又は一体で設けられた輪状絶縁カバーと、前記各突出磁極に前記輪状絶縁カバーを介して巻回されたステータ巻線と、前記輪状ステータの外周面に形成された複数の輪状ステータ用キー溝と、前記輪状ステータの外周面に嵌合されアルミダイキャスト加工により成形された筒状ケースと、前記筒状ケースの内周面に形成され前記輪状ステータ用キー溝に対応する筒状ケース用キー溝と、前記輪状ステータ用キー溝と筒状ケース用キー溝によって形成される穴内に注入された接着剤と、よりなり、前記輪状ステータと筒状ケースとは前記接着剤により固定されていることにより、穴内に設けられた接着剤により、筒状ケースと輪状ステータを極めて簡単にかつ容易に固定でき、かつ、対熱性の高いアルミニウムダイキャストの筒状ケースを用いることができる。
前記穴は長穴よりなり、前記筒状ケースの一端には、前記筒状ケースの軸方向に沿って延設された複数の取付用突起が設けられていることにより、長穴によって固定強度が上がると共に、各取付用突起により車輌等への取付固定が容易となる。
【図面の簡単な説明】
【０００９】
【図１】本発明によるレゾルバと筒状ケースとの接続固定構造を示す平面図である。
【図２】図１のＡ−Ａ断面図である。
【図３】図２のＢ部の拡大図である。
【図４】従来構成を示す平面図である。
【発明を実施するための形態】
【００１０】
本発明は、筒状ケースをアルミダイキャストとし、筒状ケース用キー溝と輪状ステータ用キー溝間に形成された穴内に接着剤を注入することにより、レゾルバと筒状ケースとを簡単でかつ確実に固定するようにしたレゾルバと筒状ケースとの接続固定構造を提供することを目的とする。
【実施例】
【００１１】
以下、図面と共に本発明によるレゾルバと筒状ケースとの接続固定構造の好適な実施の形態について説明する。
尚、従来例と同一又は同等部分については、同一符号を用いて説明する。
図１において、符号１で示されるものは鉄で形成されロータ１Ａが内設可能な輪状ステータであり、この輪状ステータ１の内周面１ａには所定角度間隔で複数の突出磁極２が内方へ向けて突出して形成されている。
【００１２】
前記輪状ステータ１の両端面１ｃ，１ｄには、輪状をなすと共に前記各突出磁極２を覆う形状をなす突片１０ａ，１１ａを有する一対の輪状カバー１０，１１が設けられ、この各輪状絶縁カバー１０，１１は、予め、成形された一対の別体構成、又は、インサート射出成形により一体成形された構成の何れかが採用されている。
【００１３】
前記各突出磁極２には、前記各輪状絶縁カバー１０，１１すなわち各突片１０ａ，１１ａを介してステータ巻線３が巻回されており、この巻回後のステータ巻線３は、前記輪状絶縁カバー１０，１１の何れかの一端に一体に設けられた図示しない端子ピン保持部の端子ピンにからげて接続されている。
【００１４】
前記輪状ステータ１の外周面１ｂには、内側へ向けて窪む状態で輪状ステータ用キー溝２０が複数形成され、前記輪状ステータ１の外周面１ｂには、アルミダイキャストで形成された筒状ケース４が嵌合されている。
【００１５】
前記筒状ケース４の内周面４ａは前記輪状ステータ１の外周面１ｂに接し、この内周面４ａには、前記各輪状ステータ用キー溝２０に対応するように複数の筒状ケース用キー溝２１が形成されている。
従って、前記輪状ステータ用キー溝２０と筒状ケース用キー溝２１によって長穴形状の穴２２が形成されている。
前記穴２２内には、エポキシ系の樹脂材料からなる接着剤２３が注入されて固化されている。
【００１６】
前述の穴２２内に注入固化された接着剤２３により、前記各キー溝２０，２１同志が互いに強固に結合していることによって輪状ステータ１及び筒状ケース４が相互に強く結合するように構成されている。
前記筒状ケース４の一端には、図２で示されるように、筒状ケース４の軸方向Ａに沿って延設された複数の取付用突起２５が設けられている。
従って、前記取付用突起２５を、車輌又は装置等の図示しない取付位置に係合させることにより、レゾルバ３０の取付けを行うことができる。
【産業上の利用可能性】
【００１７】
本発明によるレゾルバと筒状ケースとの接続固定構造は、レゾルバだけではなく、同期モータ等にも適用可能である。
【符号の説明】
【００１８】
１    輪状ステータ
１Ａ    ロータ
１ａ    内周面
１ｂ    外周面
１ｃ，１ｄ    端面
２    突出磁極
３    ステータ巻線
４    筒状ケース
４ａ    内周面
１０,１１    輪状絶縁カバー
１０ａ，１１ａ    突片
２０    輪状ステータ用キー溝
２１    筒状ケース用キー溝
２２    穴（長孔）
２３    接着剤
３０    レゾルバ
【図１】
2010178603.tif 000003
【図２】
2010178603.tif 000004
【図３】
2010178603.tif 000005
【図４】
2010178603.tif 000006